(57)【要約】【課題】内箱と炭壺の着脱が一度に行えない。【解決手段】外箱２の内部に内箱３を設け、該内箱３の下方部にドレンパン１２を一体形成すると共に、内箱３内に炭壺１８を着脱可能に載置し、該炭壺１８の上部に対し着脱自在な蓋体２４の上部に把手２５を設けると共に、外周部に複数個の嵌合片２６、２６ａ　…を外方突設し、内箱３及び炭壺１８の上方開口縁部に、上記嵌合片２６、２６ａ　…に対応する縦切込２８、２８ａ　…、３１、３１ａ　…を形成すると共に、該縦切込２８、２８ａ　…、３１、３１ａ　…の下端より一側方へ横切込２９、２９ａ　…、３２、３２ａ　…を形成し、蓋体２４の嵌合片２６、２６ａ　…を内箱３及び／又は炭壺１８の縦切込２８、２８ａ　…、３１、３１ａ　…に上方より差し込み、次に蓋体２４を回転させて嵌合片２６、２６ａ　…を横切込２９、２９ａ　…、３２、３２ａ　…内に移行させた後、蓋体２４を持ち上げれば、嵌合片２６、２６ａ　…が横切込２９、２９ａ　…、３２、３２ａ　…の上部に当接して内箱３及び／又は炭壺１８が持ち上がる。【選択図】　　　　図９
2004049280.tif 000002
【特許請求の範囲】
【請求項１】
テーブルの下部に配設した外箱の内部に内箱を設け、該内箱の下方部にドレンパンを一体形成すると共に、内箱内に炭壺を着脱可能に載置し、炭壺の上部に対し着脱自在な蓋体の上部に把手を設けると共に、外周部に複数個の嵌合片を外方突設し、内箱及び炭壺の上方開口縁部に、上記嵌合片に対応する縦切込を形成すると共に、該縦切込の下端より一側方へ横切込を形成したことを特徴とする炭焼き用無煙ロースター。
【請求項２】
内箱の上方部に、吸気孔を形成したトップリングを一体形成し、該トップリングに、縦切込に連続する切欠を形成したことを特徴とする請求項１記載の炭焼き用無煙ロースター。
【請求項３】
嵌合片の先端より上方へ抜止片を突設したことを特徴とする請求項１又は２記載の炭焼き用無煙ロースター。
【請求項４】
炭壺の横切込における基端側上部にストッパー片を設けたことを特徴とする請求項１、２又は３記載の炭焼き用無煙ロースター。
【請求項５】
内箱の縦切込の先端より他側方へも横切込を形成すると共に、該横切込における基端側上部にストッパー片を設けたことを特徴とする請求項１、２、３又は４記載の炭焼き用無煙ロースター。
【発明の詳細な説明】
【０００１】
【発明の属する技術分野】
本発明は、内箱及び炭壺の着脱が容易な炭焼き用無煙ロースターに関する。
【０００２】
【従来の技術】
従来、炭焼き用無煙ロースターにあっては、テーブルの下方に配置した外箱の内部に内箱を配設すると共に、該内箱内に炭壺を着脱可能に設置し、該炭壺の上部に蓋体を着脱自在に被せ、炭壺に被係止部を形成すると共に、該被係止部と係止可能な係止部を蓋体に設けることで、炭壺と蓋体を一体化して持ち運び可能にしたものが見受けられる。
【０００３】
【発明が解決しようとする課題】
しかし、上記の無煙ロースターにあっては、蓋体により炭壺を内箱に対し着脱することが可能であるが、内箱は外箱側に固定されており、清掃時に炭壺は取り外すことが出来るが、内箱は取り外せないため、清掃作業が面倒であるなど、解決せねばならない課題があった。
【０００４】
【課題を解決するための手段】
本発明は、上記従来技術に基づく、内箱と炭壺を同時に外せない課題に鑑み、テーブルの下部に配設した外箱の内部に内箱を設け、該内箱の下方部にドレンパンを一体形成すると共に、内箱内に炭壺を着脱可能に載置し、炭壺の上部に対し着脱自在な蓋体の上部に把手を設けると共に、外周部に複数個の嵌合片を外方突設し、内箱及び炭壺の上方開口縁部に、上記嵌合片に対応する縦切込を形成すると共に、該縦切込の下端より一側方へ横切込を形成し、蓋体の嵌合片を内箱及び／又は炭壺の縦切込に上方より差し込み、次に蓋体を回転させて嵌合片を横切込内に移行させた後、蓋体を持ち上げれば、嵌合片が横切込の上部に当接して内箱及び／又は炭壺を持ち上げ可能にして、上記課題を解決する。
【０００５】
【発明の実施の形態】
以下、本発明の一実施例を図面に基づいて説明する。
図１は、炭焼き用の無煙ロースターの平面図であり、炭焼き用の無煙ロースターにおけるテーブル１の下方に外箱２を配置すると共に、該外箱２の内部に内箱３を配設し、かかる外箱２と内箱３の間に所定間隔の吸引流路４を形成している。
【０００６】
外箱２の上部にしてテーブル１の開口部５内に相当する位置に、開口部５より小径な上方開口部６を形成し、該上方開口部６の開口縁部より上方へ円筒状の立上部７を連続形成している。又、外箱２の底部にして上方開口部６の直下に下方開口部８を設け、該下方開口部８の外周部より上方へ円筒状の収容筒部９を立上げ形成し、該収容筒部９内にバーナー１０を収容している。
【０００７】
図２、３は内箱の平面図及びＸーＸ断面図であり、内箱３の中間部上方寄り部位に段差部１１を形成すると共に、下方部にドレンパン１２を一体形成し、該ドレンパン１２は、リング状に形成してその中央部を立ち上げて上方開口状の外側筒状部１３を形成している。そして、内箱３側の外側筒状部１３内に外箱２側の収容筒部９を差し込む様にして、ドレンパン１２を外箱２の底部上に載置して、外箱２内に内箱３を配設している。
内箱３の上部に、外箱２と内箱３間（吸引流路４）の上方開口部を閉鎖するトップリング１４を一体形成し、該トップリング１４における上記上方開口部の閉鎖部位１５を、内箱３の上方開口縁部より外側且つ上方へ傾斜させて形成すると共に、該閉鎖部位１５の円周方向に複数個の吸引孔１６、１６ａ　…を形成し、又閉鎖部位１５の外周部に垂下壁部１７を一体形成している。
【０００８】
図４、５は炭壺の平面図及びＹーＹ断面図であり、かかる炭壺１８はラッパ状に形成して内箱３内に配設し、炭壺１８の底部に下方開口部１９を形成し、炭壺１８の上方外周部に鍔部２０を一体形成すると共に、該鍔部２０の外周部に周壁部２１を立上げ形成している。又、炭壺１８における側部中間部の下方寄りに空気流入孔２２、２２ａ　…を所定間隔毎に周設している。そして、鍔部２０を内箱３の段差部１１上に載置することで、内箱３内の上方に炭壺１８を設置する様にしている。
又、炭壺１８内の底部における下方開口部１９の外周部位にサナ２３の外周部を載置すると共に、該サナ２３上に炭（図示せず）を載置する様にしている。
尚、炭壺１８の上方にロストル、焼き網等の調理物載置体（図示せず）を載置し、該調理物載置体（図示せず）の外周部を炭壺１８の鍔部２０上に載置している。
【０００９】
図６、７は蓋体の平面図及びＺーＺ断面図であり、かかる蓋体２４は炭壺１８の上部に対し着脱自在に設け、蓋体２４の上部に把手２５を設けると共に、外周部に３個以上の嵌合片２６、２６ａ　…を外方突設し、該嵌合片２６、２６ａ　…の先端より上方へ抜止片２７、２７ａ　…を突設している。
内箱３の上方開口縁部及び炭壺１８の上方開口縁部（周壁部２１の上方開口縁部）における嵌合片２６、２６ａ　…に対応する位置に縦切込２８、２８ａ　…、３１、３１ａ　…を形成すると共に、該縦切込２８、２８ａ　…、３１、３１ａ　…の下端より一側方へ横切込２９、２９ａ　…、３２、３２ａ　…を形成している。又、内箱３のトップリング１４における閉鎖部位１５に、縦切込２８、２８ａ　…に連続する切欠３０、３０ａ　…を形成して、蓋体２４の嵌合片２６、２６ａ　…を通過可能にしている。
又、内箱３の縦切込２８、２８ａ　…の下端より他側方、上記横切込２９、２９ａ　…とは反対方向へも横切込３３、３３ａ　…を形成し、該横切込３３、３３ａ　…の基端側上部にストッパー片３４、３４ａ　…を形成している。
又、炭壺１８の横切込３２、３２ａ　…の基端側上部にストッパー片３５、３５ａ　…を形成している。
【００１０】
次に本発明に係る炭焼き用無煙ロースターの作用を説明する。
炭壺１８を内箱３から取り外す場合、図８に示す様に、蓋体２４の嵌合片２６、２６ａ　…を、内箱３及び炭壺１８の縦切込２８、２８ａ　…、３１、３１ａ　…に上方より差し込み、次に蓋体２４を回転させて嵌合片２６、２６ａ　…を横切込２９、２９ａ　…、３２、３２ａ　…内に移行させた後、蓋体２４を若干持ち上げて、炭壺１８の横切込３２、３２ａ　…の上部に嵌合片２６、２６ａ　…が当接して炭壺１８を若干持ち上げ、次に蓋体２４を、嵌合片２６、２６ａ　…が内箱３の縦切込２８、２８ａ　…内に位置させる様に逆回転させた後蓋体２４を持ち上げれば、内箱３から炭壺１８が外れる。
炭壺１８を内箱３から取り付ける場合、蓋体２４の嵌合片２６、２６ａ　…を、炭壺１８の縦切込３１、３１ａ　…に上方より差し込み、次に蓋体２４を回転させて嵌合片２６、２６ａ　…を横切込３２、３２ａ　…内に移行させた後、蓋体２４を持ち上げて、炭壺１８の横切込３２、３２ａ　…の上部に嵌合片２６、２６ａ　…が当接して炭壺１８を若干持ち上げ、次に嵌合片２６、２６ａ　…の突出部を内箱３の縦切込２８、２８ａ　…に上方より差し込んだ後に蓋体２４を回転させて、嵌合片２６、２６ａ　…を横切込２９、２９ａ　…内に移行させ、蓋体２４を下ろし嵌合片２６、２６ａ　…を横切込３２、３２ａ　…の上部から離間させて、炭壺１８を内箱３内に載置し、最後に蓋体２４を逆回転及び持ち上げて外すことで、炭壺１８を取り付ける。
【００１１】
炭壺１８及び内箱３を同時に取り外す場合、図９に示す様に、蓋体２４の嵌合片２６、２６ａ　…を、内箱３及び炭壺１８の縦切込２８、２８ａ　…、３１、３１ａ　…に上方より差し込み、次に蓋体２４を回転させて嵌合片２６、２６ａ　…を横切込２９、２９ａ　…、３２、３２ａ　…内に移行させた後、蓋体２４を持ち上げれば、嵌合片２６、２６ａ　…が横切込２９、２９ａ　…、３２、３２ａ　…の上部に当接して内箱３及び炭壺１８が持ち上がり、内箱３及び炭壺１８が外れる。
炭壺１８及び内箱３を同時に取り付ける場合も、上記と同工程で内箱３及び炭壺１８を持ち上げて、内箱３及び炭壺１８を外箱２内に設置した後、蓋体２４を逆回転及び持ち上げて外すことで、内箱３及び炭壺１８を取り付ける。
【００１２】
炭壺１８を取り外した後の内箱３を取り外す場合、図１０に示す様に、蓋体２４の嵌合片２６、２６ａ　…を、内箱３の縦切込２８、２８ａ　…に上方より差し込み、次に蓋体２４を回転させて嵌合片２６、２６ａ　…を横切込３３、３３ａ　…内に移行させた後、蓋体２４を持ち上げれば、嵌合片２６、２６ａ　…が横切込３３、３３ａ　…の上部に当接して内箱３が持ち上がる。
内箱３を取りつける場合も、上記と同工程で内箱３を持ち上げて、内箱３を外箱２内に設置した後、蓋体２４を逆回転及び持ち上げて外すことで、内箱３取り付ける。
【００１３】
【発明の効果】
要するに本発明は、内箱３の下方部にドレンパン１２を一体形成したので、内箱３を外すことでドレンパン１２も同時に外すことが出来るため、ロースター内に手を入れずにドレンパン１２を取り出すことか出来、又内箱３内に炭壺１８を着脱可能に載置したので、炭壺１８だけを取り外すことが出来る。
炭壺１８の上部に対し着脱自在な蓋体２４の上部に把手２５を設けたので、内箱３及び炭壺１８に直接触らずにそれらの着脱作業を行うことが出来、内箱３及び炭壺１８が高温状態であったり、汚れが酷くても取り扱うことか出来る。
蓋体２４の外周部に複数個の嵌合片２６、２６ａ　…を外方突設し、内箱３及び炭壺１８の上方開口縁部に、上記嵌合片２６、２６ａ　…に対応する縦切込２８、２８ａ　…、３１、３１ａ　…を形成すると共に、該縦切込２８、２８ａ　…、３１、３１ａ　…の下端より一側方へ横切込２９、２９ａ　…、３２、３２ａ　…を形成したので、内箱３及び炭壺１８の縦切込２８、２８ａ　…、３１、３１ａ　…に対する嵌合片２６、２６ａ　…の差し込み及び引き抜き、蓋体２４の正逆回転及び蓋体２４の上下動だけで、内箱３及び炭壺１８の着脱作業が行え、而も同時に内箱３及び炭壺１８を着脱したり、炭壺１８だけを着脱するかを作業に応じて適宜選択することが出来るため、内箱３及び炭壺１８の着脱作業の簡易化を図ることが出来る。
【００１４】
嵌合片２６、２６ａ　…の先端より上方へ抜止片２７、２７ａ　…を突設したので、運搬時にバランスが崩れて、内箱３及び炭壺１８が傾いて滑ったとしても、抜止片２７、２７ａ　…に当たるため、内箱３及び炭壺１８の蓋体２４からの脱落を完全に防止することが出来る。
【００１５】
炭壺１８の横切込３２、３２ａ　…における基端側上部にストッパー片３５、３５ａ　…を設けたり、内箱３の縦切込２８、２８ａ　…の先端より他側方へも横切込３３、３３ａ　…を形成すると共に、該横切込３３、３３ａ　…における基端側上部にストッパー片３４、３４ａ　…を設けたので、運搬時にバランスが崩れて内箱３及び炭壺１８が傾いても、ストッパー片３４、３４ａ　…、３５、３５ａ　…に嵌合片２６、２６ａ　…が当接してそれ以上動かないため、内箱３及び炭壺１８の蓋体２４からの脱落を完全に防止することが出来る等その実用的効果甚だ大である。
【図面の簡単な説明】
【図１】本発明に係る炭焼き用無煙ロースターの蓋体を外した状態の断面図である。
【図２】内箱の平面図である。
【図３】図２のＸーＸ断面図である。
【図４】炭壺の平面図である。
【図５】図４のＹーＹ断面図である。
【図６】蓋体の平面図である。
【図７】図６のＺーＺ断面図である。
【図８】炭壺だけの取外し過程を示す要部拡大平面図である。
【図９】炭壺及び内箱の取外し過程を示す要部拡大平面図である。
【図１０】内箱だけの取外し過程を示す要部拡大平面図である。
【符号の説明】
１　　　　　テーブル
２　　　　　外箱
３　　　　　内箱
１２　　　　　ドレンパン
１４　　　　　トップリング
１６、１６ａ　…　吸気孔
１８　　　　　炭壺
２４　　　　　蓋体
２５　　　　　把手
２６、２６ａ　…　嵌合片
２７、２７ａ　…　抜止片
２８、２８ａ　…　縦切込
２９、２９ａ　…　横切込
３０、３０ａ　…　切欠
３１、３１ａ　…　縦切込
３２、３２ａ　…　横切込
３３、３３ａ　…　横切込
３４、３４ａ　…　ストッパー片
３５、３５ａ　…　ストッパー片
【図１】
2004049280.tif 000003
【図２】
2004049280.tif 000004
【図３】
2004049280.tif 000005
【図４】
2004049280.tif 000006
【図５】
2004049280.tif 000007
【図６】
2004049280.tif 000008
【図７】
2004049280.tif 000009
【図８】
2004049280.tif 000010
【図９】
2004049280.tif 000011
【図１０】
2004049280.tif 000012